(57)【特許請求の範囲】
【請求項１】
予め、リン化水素発生槽および導管中の空気を不活性ガスで置換した後、
（１）該リン化水素発生槽中で、リン化アルミニウム、リン化マグネシウム、リン化亜鉛およびリン化カルシウムよりなる群から選ばれた少なくとも１種のリン化金属化合物と水とを接触反応させ、
（２）得られたリン化水素含有ガスを該導管を通じて燻蒸室へ流通させ、次いで該燻蒸室内においてリン化水素の含有割合が４容量％以上のリン化水素含有ガスを１．０ｍ／秒以上の流速で噴出させ、そして
（３）該燻蒸室中においてリン化水素含有ガスにより燻蒸されるべき生植物、穀物、木材または飼料を処理する、
ことを特徴とする燻蒸方法。
【請求項２】
該接触反応は３０〜９８℃の範囲の温度で行う請求項１記載の燻蒸方法。
【請求項３】
該リン化水素含有ガスの燻蒸室への導管における流通は、少なくとも０.０３ｍ／秒の流速に保持しながら行なわれる請求項１記載の燻蒸方法。
【請求項４】
該リン化水素含有ガスは、炭酸ガスを０〜９５容量％含有している請求項１記載の燻蒸方法。
【請求項５】
該リン化水素含有ガスは、加湿されている請求項１記載の燻蒸方法。
【請求項６】
該接触反応は回分式反応である請求項１記載の燻蒸方法。
【請求項７】
該接触反応は、該リン化金属化合物に水を添加しながら実施する請求項１記載の燻蒸方法。
【請求項８】
予め、リン化水素発生槽および導管中の空気を不活性ガスで置換した後、
（１）該リン化水素発生槽中で、リン化アルミニウム、リン化マグネシウム、リン化亜鉛およびリン化カルシウムよりなる群から選ばれた少なくとも１種のリン化金属化合物と１〜９８重量％濃度の硫酸水溶液とを接触反応させ、
（２）得られたリン化水素含有ガスを該導管を通じて燻蒸室へ流通させ、次いで該燻蒸室内においてリン化水素の含有割合が４容量％以上のリン化水素含有ガスを１．０ｍ／秒以上の流速で噴出させ、そして
（３）該燻蒸室中においてリン化水素含有ガスにより燻蒸されるべき生植物、穀物、木材または飼料を処理する、
ことを特徴とする燻蒸方法。
【請求項９】
該接触反応は１０〜９８℃の範囲の温度で行う請求項８記載の燻蒸方法。
【請求項１０】
該リン化水素含有ガスの燻蒸室への導管における流通は、少なくとも０.０３ｍ／秒の流速に保持しながら行われる請求項８記載の燻蒸方法。
【請求項１１】
該リン化水素含有ガスは、炭酸ガスを０〜９５容量％含有している請求項８記載の燻蒸方法。
【請求項１２】
該リン化水素含有ガスは、加湿されている請求項８記載の燻蒸方法。
【請求項１３】
該接触反応は回分式反応である請求項８記載の燻蒸方法。
【請求項１４】
該接触反応は、該リン化金属化合物に硫酸水溶液を添加しながら実施する請求項８記載の燻蒸方法。
【請求項１５】
（ａ）リン化水素発生手段
（ｂ）炭酸ガス供給手段
（ｃ）リン化水素精製手段
（ｄ）リン化水素の含有割合が４容量％以上のリン化水素含有ガスを１．０ｍ／秒以上の流速で噴出させる噴出手段
（ｅ）燻蒸室
（ｆ）該炭酸ガス供給手段から供給された炭酸ガスが該リン化水素発生手段から発生したリン化水素含有ガスと混合され、次いで該リン化水素精製手段を介して該燻蒸室へ導入され噴出されるように前記（ａ）〜（ｅ）が導管により接続されている流通手段
および
（ｇ）導管並びに容器中の空気を不活性ガスで置換する手段
よりなる燻蒸システム。
【請求項１６】
該リン化水素発生手段は、リン化アルミニウム、リン化マグネシウム、リン化亜鉛およびリン化カルシウムよりなる群から選ばれた少なくとも１種のリン化金属化合物に水または硫酸水溶液を添加反応させる手段である請求項１５記載のシステム。
【請求項１７】
該リン化水素精製手段がリン化水素発生手段より導入されたリン化水素含有ガスと水とを接触させる手段または該リン化水素含有ガス中のアンモニアを除去する手段である請求項１５記載のシステム。
【請求項１８】
該炭酸ガス供給手段は、該リン化水素発生手段から燻蒸室へ導入されるリン化水素含有ガスの導管中の流速が少なくとも０.０３ｍ／秒に保持されるように炭酸ガスの供給が制御されている請求項１５記載のシステム。
【請求項１９】
該リン化水素含有ガスは該燻蒸室から循環されたガス中へ噴出させ該燻蒸室に導入させる請求項１５記載のシステム。
【発明の詳細な説明】
【０００１】
【発明の属する技術分野】
本発明は燻蒸方法および燻蒸システムに関する。さらに詳しくは高濃度のリン化水素を含有するガスにより短期間で生植物、穀物、木材または飼料を処理する燻蒸方法および特定の手段よりなる燻蒸システムに関する。
【０００２】
【従来の技術】
従来、リン化水素は生植物、穀物、木材または飼料の倉庫燻蒸、サイロ燻蒸、コンテナー燻蒸等に使用されていることが知られている。しかしながら、リン化水素は、低濃度（約１．５容量％）で自然発火する恐れがある極めて危険なガスである。
リン化水素による燻蒸は、通常リン化アルミニウムの錠剤を燻蒸室内に配置し、リン化アルミニウムと空気中の湿分との反応によりリン化水素を発生させる方法が知られている。しかしながら、リン化アルミニウムと空気中の湿分との反応は時間がかかり、そのため長期間の燻蒸となり鮮度の要求される短時間の燻蒸には使用できない欠点がある。
【０００３】
また、特表平６−５００７６１号公報はリン化水素の発生方法および装置を提案しており、ヨーロッパ特許公開第０３１８０４０号明細書もリン化水素の発生装置を提案している。しかしながら、上記２つの明細書は共にリン化水素が発火しない程度に低濃度のリン化水素を発生するよう制御されたリン化水素の発生装置を提案しており、鮮度の要求される短時間の燻蒸には使用できない。
【０００４】
一方、リン化水素をボンベに充填して燻蒸に使用する方法も知られている。しかしながら、上記のようにリン化水素は極めて発火し易く危険であるため、高濃度のリン化水素を不活性ガスで約１．５容量％程度に希釈し、これをボンベに充填して燻蒸に使用している。従ってかかる方法では、低濃度のリン化水素含有ガスを使用するため長期間の燻蒸時間が必要であり、やはり鮮度の要求されるものには使用できない欠点がある。
【０００５】
さらにこの欠点を改良する方法として、特開平５−１６１４４４号公報には、高濃度のリン化水素と臭化メチルとを混合使用することにより発火を防止し、しかも短時間で燻蒸できる燻蒸用装置を提案している。この提案された装置において高濃度のリン化水素は、ボンベに充填されたリン化水素を使用している。しかしながら、リン化水素ボンベは特殊高圧ガスに属し、その保存、運搬および使用は厳重な取扱いが必要である。ボンベを使用せず、燻蒸場所で、容易かつ安全に高濃度のリン化水素ガスを提供でき、短期間で生植物、穀物、木材または飼料を燻蒸しうる方法および燻蒸システムの開発が求められている。
【０００６】
【発明が解決しようとする課題】
本発明の目的は、燻蒸場所で高濃度のリン化水素ガスが得られ、発火の心配なく安全に、生植物、穀物、木材または飼料の害虫を短期間に死滅させることができ、穀物、木材、飼料または鮮度の要求される生植物に対し好適に使用される燻蒸方法および燻蒸システムを提供することにある。
本発明者はこの目的を達成せんとして鋭意研究を重ねた結果、特定のリン化金属化合物と水または硫酸水溶液とを反応させ、得られたリン化水素含有ガスにより生植物、穀物、木材または飼料を燻蒸する方法および特定の手段よりなる燻蒸システムを見出し、本発明に到達した。
【０００７】
【課題を解決するための手段】
すなわち、本発明によれば、
予め、リン化水素発生槽および導管中の空気を不活性ガスで置換した後、
（１）該リン化水素発生槽中で、リン化アルミニウム、リン化マグネシウム、リン化亜鉛およびリン化カルシウムよりなる群から選ばれた少なくとも１種のリン化金属化合物と水とを接触反応させ、
（２）得られたリン化水素含有ガスを該導管を通じて燻蒸室へ流通させ、次いで該燻蒸室内においてリン化水素の含有割合が４容量％以上のリン化水素含有ガスを１．０ｍ／秒以上の流速で噴出させ、そして
（３）該燻蒸室中においてリン化水素含有ガスにより燻蒸されるべき生植物、穀物、木材または飼料を処理する、
ことを特徴とする燻蒸方法が提供される。
【０００８】
本発明に使用されるリン化水素含有ガスは、リン化アルミニウム、リン化マグネシウム、リン化亜鉛およびリン化カルシウムよりなる群から選ばれた少くとも１種のリン化金属化合物と水とを接触反応させて得られる。
【０００９】
リン化金属化合物と水との接触反応において、リン化金属化合物１重量部当り水１〜１０重量部を使用することが好ましい。１重量部未満では、反応速度が遅くなり本発明の目的を達成し難く、１０重量部を超えると副生する金属の水酸化物のため、リン化水素含有ガスが発泡し易くなる傾向にある。
【００１０】
接触反応における反応温度は３０〜９８℃が好ましく、４５〜９５℃の範囲がより好ましい。反応温度が３０℃より低くなると反応の進行が不充分になり、９８℃より高くなると反応が激しく、制御できなくなり好ましくない。また、この接触反応において、コンデンサーが高温での反応を維持したまま水量を一定に保つことができ、有利に使用される。
この接触反応は、回分式で行うことが好ましい。その理由は、燻蒸室の規模、燻蒸すべき対象物の量と種類に対応して燻蒸場所で高濃度のリン化水素ガスの特定量を得る方法として適している。
また、この接触反応は、リン化金属化合物に水を添加しながら実施する方法が推奨される。この接触方法は本発明の目的である高濃度のリン化水素ガスを安全に得る方法として好適である。この方法は所定量のリン化金属化合物を容器に仕込んでおき、水を連続的または間歇的に導入することにより実施される。
【００１１】
本発明の燻蒸を行うに当り、導管並びに容器中の空気を予め、炭酸ガス、窒素ガス等の不活性ガスで置換しておくことは安全操作のために好ましいことである。
【００１２】
得られたリン化水素含有ガスは導管を通じて燻蒸室へ流通させ、次いで該燻蒸室内においてリン化水素含有ガスを噴出させる。
リン化水素含有ガスの燻蒸室への導管における流速は、少なくとも０.０３ｍ／秒の流速に保持されることが好ましく、０.１ｍ／秒以上の流速に保持されることがより好ましい。流速が０.０３ｍ／秒より遅くなると、リン化水素が発火し易くなり好ましくない。
またリン化水素含有ガスの燻蒸室への噴出は、１.０ｍ／秒以上の流速で行うことが好ましい。
【００１３】
燻蒸室内へ噴出されるリン化水素含有ガス中のリン化水素の含有割合は４容量％以上が好ましく、３０容量％以上が特に好ましい。４容量％より少なくなると、高濃度のリン化水素を提供し、短期間で燻蒸するという本発明の目的に適さなくなる。
【００１４】
本発明において得られるリン化水素含有ガスは炭酸ガスを０〜９５容量％含有しているのが望ましく、０〜９０容量％が特に好ましい。炭酸ガスは、リン化水素の発火を抑制しまたそれ自体燻蒸作用を有しているため好ましく用いられる。また、炭酸ガスがリン化水素含有ガス中に占める割合が、容量で７０％以上になると流速に関係なく発火が抑制され、この点においても好ましく用いられる。炭酸ガスが９５容量％より多くなると、高濃度のリン化水素を提供し、短期間で燻蒸するという本発明の目的に適さなくなる。
【００１５】
炭酸ガスの供給速度および量はリン化水素含有ガス中のリン化水素濃度の変化に対応して経時的に変化させることが好ましい。すなわち、例えば反応により発生したリン化水素の濃度が次第に低下し、その量が少なくなるに従って炭酸ガスの供給速度を増大させ、燻蒸室内へ噴出されるリン化水素含有ガスの流速が一定速度以上を維持するよう経時的に変化させることが望ましい。
【００１６】
リン化水素含有ガスはさらに加湿するのが有利である。ここでいう加湿は、リン化水素含有ガスに水蒸気を加えるか或いはリン化水素含有ガスを水と接触させる手段により行われる。加湿により、リン化水素の発火が抑制され、リン化金属化合物と水との反応で副生する微量のリン化水素よりも発火し易いジホスフィンが除去され、それにより一層発火を抑制できる。また、殊にリン化金属化合物として、例えば帝人化成（株）より市販されているリン化アルミニウム粒剤（商標名エピヒューム）を使用する場合は、反応抑制剤としてカルバミン酸アンモニウムが含有されており、水との反応によりアンモニアガスが副生するため、この除去に有利である後者の水と接触させる手段が好ましく採用される。
さらに、副生するアンモニアガスは、水に吸収させても飛散し易いので、１〜１０重量％濃度の硫酸水溶液と接触させることにより加湿とアンモニア除去を効率良く行うことができるためより好ましく採用される。
【００１７】
そして、燻蒸室内に噴出させたリン化水素含有ガスにより、生植物、穀物、木材または飼料は燻蒸処理される。
本発明で燻蒸処理されるものは、通常燻蒸処理されるべきものであればよく、その例として、バナナ、パイナップル、レモン、グレープフルーツ、オレンジ、キウイフルーツ、アボガド等の青果物類、レタス、オクラ、アスパラガス、エンドウ等の野菜類、キク、カーネーション、ラン、シダ等の切花類、チューリップ、グラジオラス等の球根類、ラン等の苗、その他苗木、穂木、種子等を含む生植物、米、小麦、大豆等の穀物、油粕、アルファルファペレット等の飼料および米材、南洋材等の木材等が挙げられる。
【００１８】
また、本発明によれば、
予め、リン化水素発生槽および導管中の空気を不活性ガスで置換した後、
（１）該リン化水素発生槽中で、リン化アルミニウム、リン化マグネシウム、リン化亜鉛およびリン化カルシウムよりなる群から選ばれた少なくとも１種のリン化金属化合物と１〜９８重量％濃度の硫酸水溶液とを接触反応させ、
（２）得られたリン化水素含有ガスを該導管を通じて燻蒸室へ流通させ、次いで該燻蒸室内においてリン化水素の含有割合が４容量％以上のリン化水素含有ガスを１．０ｍ／秒以上の流速で噴出させ、そして
（３）該燻蒸室中においてリン化水素含有ガスにより燻蒸されるべき生植物、穀物、木材または飼料を処理する、
ことを特徴とする燻蒸方法が提供される。
【００１９】
本発明に使用されるリン化水素含有ガスは、リン化アルミニウム、リン化マグネシウム、リン化亜鉛およびリン化カルシウムよりなる群から選ばれた少くとも１種のリン化金属化合物と１〜９８重量％濃度の硫酸水溶液とを接触反応させて得られる。硫酸水溶液の代わりに他の酸性水溶液たとえば塩酸または硝酸を使用した場合は、発生したリン化水素と反応するため、リン化水素の純度および収率が低くなるという欠点がある。
【００２０】
水を使用する場合と硫酸水溶液を使用する場合とを比較すると、硫酸水溶液を使用した場合は特に反応温度が３０℃以下でも反応速度が速く、高濃度のリン化水素含有ガスが得られ、本発明の目的を低温において達成でき、また、副生する硫酸金属塩は硫酸水溶液に溶け、反応を阻害されることがないという利点がある。
一方、水を使用した場合は、リン化金属化合物として、例えば前記リン化アルミニウム粒剤を使用すると、反応終了後の残査は、硫酸水溶液を使用した場合と比較して粘着性がなく、リン化水素発生槽の壁に付着し難く、導管等の閉塞がなく安全で、また洗浄も容易であるという利点がある。この理由は、副生した水に不溶な金属の水酸化物が残査中のパラフィン等の粒剤成分を内包するためと考えられる。
【００２１】
硫酸水溶液の濃度は１〜９８重量％であり、２〜８０重量％が好ましく、５〜６０重量％がより好ましい。この濃度を外れると、副生する硫酸金属塩が硫酸水溶液に溶けないためリン化水素含有ガスが破泡し難くなり反応が阻害され好ましくない。
接触反応における反応温度は１０〜９８℃が好ましく、４５〜９５℃の範囲がより好ましい。反応温度が１０℃より低くなると反応の進行が不充分になり、９８℃より高くなると反応が激しく、制御できなくなり好ましくない。また、この接触反応において、コンデンサーが高温での反応を維持したまま水量を一定に保つことができ、有利に使用される。
この接触反応は、回分式で行うことが好ましい。その理由は、燻蒸室の規模、燻蒸すべき対象物の量と種類に対応して燻蒸場所で高濃度のリン化水素ガスの特定量を得る方法として適している。
また、この接触反応は、リン化金属化合物に硫酸水溶液を添加しながら実施する方法が推奨される。この接触方法は本発明の目的である高濃度のリン化水素ガスを安全に得る方法として好適である。この方法は所定量のリン化金属化合物を容器に仕込んでおき、硫酸水溶液を連続的または間歇的に導入することにより実施される。
【００２２】
本発明の燻蒸を行うに当り、導管並びに容器中の空気を予め、炭酸ガス、窒素ガス等の不活性ガスで置換しておくことは安全操作のために好ましいことである。
【００２３】
得られたリン化水素含有ガスは導管を通じて燻蒸室へ流通させ、次いで該燻蒸室内においてリン化水素含有ガスを噴出させる。
リン化水素含有ガスの燻蒸室への導管における流速は、少なくとも０.０３ｍ／秒の流速に保持されることが好ましく、０.１ｍ／秒以上の流速に保持されることがより好ましい。流速が０.０３ｍ／秒より遅くなると、リン化水素が発火し易くなり好ましくない。
またリン化水素含有ガスの燻蒸室への噴出は、１.０ｍ／秒以上の流速で行うことが好ましい。
【００２４】
燻蒸室内へ噴出されるリン化水素含有ガス中のリン化水素の含有割合は４容量％以上が好ましく、３０容量％以上が特に好ましい。４容量％より少なくなると、高濃度のリン化水素を提供し、短期間で燻蒸するという本発明の目的に適さなくなる。
【００２５】
本発明において得られるリン化水素含有ガスは炭酸ガスを０〜９５容量％含有しているのが望ましく、０〜９０容量％が特に好ましい。炭酸ガスは、リン化水素の発火を抑制しまたそれ自体燻蒸作用を有しているため好ましく用いられる。また、炭酸ガスがリン化水素含有ガス中に占める割合が、容量で７０％以上になると流速に関係なく発火が抑制され、この点においても好ましく用いられる。炭酸ガスが９５容量％より多くなると、高濃度のリン化水素を提供し、短期間で燻蒸するという本発明の目的に適さなくなる。
【００２６】
炭酸ガスの供給速度および量はリン化水素含有ガス中のリン化水素濃度の変化に対応して経時的に変化させることが好ましい。すなわち、例えば反応により発生したリン化水素の濃度が次第に低下し、その量が少なくなるに従って炭酸ガスの供給速度を増大させ、燻蒸室内へ噴出されるリン化水素含有ガスの流速が一定速度以上を維持するよう経時的に変化させることが望ましい。
【００２７】
リン化水素含有ガスはさらに加湿するのが有利である。ここでいう加湿は、リン化水素含有ガスに水蒸気を加えるか或いはリン化水素含有ガスを水と接触させる手段により行なわれる。加湿によりリン化水素の発火が抑制され、また水と接触する方法によればリン化金属化合物と硫酸水溶液との反応で副生する微量のリン化水素よりも発火し易いジホスフィンが除去され、それにより一層発火を抑制できる。
【００２８】
そして、燻蒸室内に噴出させたリン化水素含有ガスにより、生植物、穀物、木材または飼料は燻蒸処理される。
本発明で燻蒸処理されるものは、通常燻蒸処理されるべきものであればよく、その例として、バナナ、パイナップル、レモン、グレープフルーツ、オレンジ、キウイフルーツ、アボガド等の青果物類、レタス、オクラ、アスパラガス、エンドウ等の野菜類、キク、カーネーション、ラン、シダ等の切花類、チューリップ、グラジオラス等の球根類、ラン等の苗、その他苗木、穂木、種子等を含む生植物、米、小麦、大豆等の穀物、油粕、アルファルファペレット等の飼料および米材、南洋材等の木材等が挙げられる。
【００２９】
さらに、本発明によれば、
（ａ）リン化水素発生手段
（ｂ）炭酸ガス供給手段
（ｃ）リン化水素精製手段
（ｄ）リン化水素の含有割合が４容量％以上のリン化水素含有ガスを１．０ｍ／秒以上の流速で噴出させる噴出手段
（ｅ）燻蒸室
（ｆ）該炭酸ガス供給手段から供給された炭酸ガスが該リン化水素発生手段から発生したリン化水素含有ガスと混合され、次いで該リン化水素精製手段を介して該燻蒸室へ導入され噴出されるように前記（ａ）〜（ｅ）が導管により接続されている流通手段
および
（ｇ）導管並びに容器中の空気を不活性ガスで置換する手段
よりなる燻蒸システムが提供される。
【００３０】
この燻蒸システムにおいて、リン化水素発生手段は、リン化アルミニウム、リン化マグネシウム、リン化亜鉛およびリン化カルシウムよりなる群から選ばれた少なくとも１種のリン化金属化合物に水または硫酸水溶液を添加反応させる手段が好ましく採用される。反応条件としては、リン化金属化合物に水を添加反応させる方法においては、リン化金属化合物１重量部当り、水１〜１０重量部を用い、反応温度３０〜９８℃で行うことが好ましく、一方、リン化金属化合物に硫酸水溶液を添加反応させる方法においては、１〜９８重量％濃度の硫酸水溶液を用い、反応温度１０〜９８℃で行うことが好ましい。
【００３１】
本発明の燻蒸システムにおける炭酸ガス供給手段は、該リン化水素発生手段から燻蒸室へ導入されるリン化水素含有ガスの導管中の流速が、少なくとも０．０３ｍ／秒に維持されるように炭酸ガスの供給が制御されていることが好ましく、より好ましくは０．１ｍ／秒以上に維持されるように炭酸ガスの供給が制御されている手段である。流速が０．０３ｍ／秒より遅くなると、リン化水素が発火し易くなり好ましくない。炭酸ガスはそれ自体燻蒸作用を有しており、好ましく用いられる。
【００３２】
本発明の燻蒸システムにおけるリン化水素精製手段は、リン化水素発生手段より導入されたリン化水素含有ガスと水とを接触させる手段またはリン化水素含有ガス中のアンモニアを除去する手段、好ましくはリン化水素含有ガスと１〜１０重量％の硫酸水溶液とを接触させる手段が採用される。水との接触により、該リン化水素発生手段で副生する微量のリン化水素よりも発火し易いジホスフィンをリン化水素含有ガスから除去され、発火を一層抑制することができ、また硫酸水溶液との接触等によりアンモニアを除去することで、アンモニアによる被燻蒸物の薬害を防止できる。
【００３３】
本発明の燻蒸システムにおいて、燻蒸室へ導入されるリン化水素含有ガス中のリン化水素濃度は４容量％以上が好ましく、３０容量％以上が特に好ましい。４容量％より少なくなると、高濃度のリン化水素を提供し、短期間で燻蒸するという本発明の目的に適さなくなる。
また燻蒸室へ噴出するリン化水素含有ガスの流速は、１.０ｍ／秒以上に制御されることが好ましい。
【００３４】
本発明の燻蒸システムにおいて、得られたリン化水素含有ガスを燻蒸室から循環されたガス中へ噴出させ、該燻蒸室に導入させる循環システムを用いることが有利である。この循環システムにより、噴出ノズル径が大きく、リン化水素含有ガスの流速が維持できず発火の危険性がある場合、リン化水素含有ガスを燻蒸室から循環されたガス中へ噴出、混合して、リン化水素含有ガス中のリン化水素濃度を発火しない濃度まで急速に希釈することが可能となる。
【００３５】
本発明の燻蒸システムにおいて、該炭酸ガス供給手段から供給された炭酸ガスと該リン化水素発生手段から発生したリン化水素含有ガスを混合する方法としては、該炭酸ガスが該リン化水素発生手段を通じてリン化水素含有ガスと混合されるように導管を接続してもよく、また該炭酸ガスが該リン化水素発生手段の後に、発生したリン化水素含有ガスと混合されるように導管を接続してもよい。前者の方法は、安全性に優れており、後者の方法は加熱効率が良く、また炭酸ガスによる水の同伴がないという利点がある。
【００３６】
本発明の燻蒸システムには、炭酸ガスとリン化水素含有ガスの混合器を取り付けることができる。この混合器は、炭酸ガスとリン化水素含有ガスが混合された後、リン化水素精製手段の前の位置に取り付けることが好ましい。
【００３７】
本発明の燻蒸システムにはリン化水素の除毒装置を取り付けることができる。除毒は吸着方式、分解方式、燃焼方式等任意の方法が採用される。特に次亜塩素酸ソーダで処理する方法が好ましい。
【００３８】
ここで本発明の燻蒸システムの一例を図１および図２に示す。
図中、１は炭酸ガス供給手段、２はリン化水素発生手段、３はリン化水素精製手段、４はリン化水素含有ガスの噴出手段、５は燻蒸室、６はバルブ、７、８は流量計、９、１０は流量制御システム、１１は三方コック、１２はブロワー、１３は循環配管、１４、１５、１６は導管である。
【００３９】
さらに本発明の燻蒸システムの一例を詳細に図３に示す。
図中、１は炭酸ガス供給手段であり、炭酸ガス貯槽１７、バルブ６および炭酸ガス流量調節計１８（流量計７で測定されるリン化水素含有ガス流量により制御される）よりなる。窒素ガス貯槽１９および真空ポンプ２２は、リン化金属化合物を反応させる前に導管および容器中の空気を除去し、リン化水素の発火を抑制する目的で用いられる。
【００４０】
２はリン化水素発生手段であり、計量槽２７中の水または硫酸水溶液２８を、リン化水素発生槽３０に添加し、リン化金属化合物３２と反応させる。
３はリン化水素精製手段であり、リン化水素含有ガスが導管１５を通じて精製槽３６内の水または硫酸水溶液３８により精製される。３７はバブリングノズルであり、リン化水素含有ガス中のジホスフィンおよびアンモニアガスを除去し易くするために使用される。
【００４１】
４はリン化水素含有ガスの噴出手段であり、リン化水素含有ガスが導管１６を通じて噴出ノズル４１より循環配管１３へ噴出され、リン化水素ガス濃度を発火しない濃度まで急速に希釈させる。このリン化水素含有ガスは燻蒸室５へ供給される。燻蒸後は４５のリン化水素除毒装置により、リン化水素は処理される。
【００４２】
【実施例】
以下に実施例を挙げて本発明をさらに説明する。なお、評価は下記の方法によった。
（１）リン化水素ガスおよび炭酸ガス濃度
ガスクロマトグラフィー（大倉理研（株）製）を使用しカラム充填剤として    Ｐｏｒａｐａｋ  Ｑ  ８０／１００  ｍｅｓｈ（ジーエルサイエンス（株）製）を用いて測定した。
（２）ジホスフィンガス濃度
アセトン・ドライアイス溶液に吸収させ、ＮＭＲ（バリアン（株）製）を用いて測定した。
（３）アンモニアガス濃度
水に吸収させ、フェノールフタレインを指示薬として、０．１Ｎ塩酸で滴定した。
【００４３】
実施例１
図４に示した装置を用い、以下の方法でリン化水素含有ガスを得た。
３００ｍｌのリン化水素発生槽３０にリン化アルミニウム剤（リン化アルミニウム純度５６％、帝人化成（株）市販のエピヒューム）９ｇを投入口５３より入れた。
次にリン化水素発生槽３０、流量計７、混合器５７、リン化水素含有ガスの精製槽３６（５重量％硫酸水溶液が入っている）および導管内の空気を除去した。その手順は二方コック２９、３４を閉、二方コック２５を開とし、真空ライン４８の真空用調節バルブ２３を開、三方コック２１をリン化水素発生槽３０の方向に開き、真空ポンプ２２によりリン化水素発生槽３０、導管内の空気を除去後、窒素ライン４７の窒素パージ用調節バルブ２０を開、三方コック２１を窒素ライン４７とリン化水素発生槽３０の方向に切換え、窒素ガス貯槽１９から窒素ガスを流し、二方コック３４、ニードルバルブ４０を開として、流量計７、混合器５７、精製槽３６および導管内の空気をほぼ完全に除去した。除去後ニードルバルブ４０、二方コック３４を閉とした。
【００４４】
次に、計量槽２７に水７０ｍｌを入れ、二方コック２９を開いて、リン化水素発生槽３０に水６０ｍｌを添加した。このとき、リン化水素発生槽３０は水が添加し易くなるように減圧にしておいた。また計量槽２７の空気がリン化水素発生槽３０に入らないように水を１０ｍｌ程度残して二方コック２９を閉じた。
水を添加後直ちにリン化水素発生槽３０をヒーター３１で約８３℃まで加熱した。
リン化アルミニウム剤が反応して、リン化水素発生槽内の圧力を示す圧力指示計２４が０．１ｋｇ／ｃｍ２程度になったところで二方コック３４、ニードルバルブ４０を開とし発生したリン化水素含有ガスを１ｍ３燻蒸室５に噴出ノズル４１より噴出した。
【００４５】
流量計７で内径２ｍｍの導管の流速を計測しリン化水素ガスの発生が少なくなり導管の流速が低下し、内径２ｍｍの噴出ノズル４１の流速が１ｍ／ｓに近づいてきたところで、炭酸ガス調節バルブ６を開とし炭酸ガス流量調節計１８を用いて、噴出ノズルの流速が１ｍ／ｓ以上に保持されるように炭酸ガスを、リン化アルミニウム剤の反応が終了しリン化水素が発生しなくなるまで流し続けた。
この方法によるリン化水素ガス、炭酸ガス、ジホスフィンガスおよびアンモニアガスのそれぞれの濃度、導管中の流速、噴出ノズルの流速、炭酸ガスの流量および発火の有無の結果を表１に示した。
【００４６】
なお導管中のガス濃度はサンプリング口（Ａ）５０とサンプリング口（Ｂ）５２より経時的にサンプリングして、それぞれの濃度は所定の方法で測定した。また導管中の流速は流量計７で計測し、噴出ノズルの流速は導管中の流速より算出し、炭酸ガスの流量は流量計１８で計測した。また噴出ノズルから流出するリン化水素含有ガスの発火の有無は目視で確認した。
【００４７】
実施例２
実施例１の方法により反応終了後、炭酸ガス流量計１８を用いて炭酸ガスをリン化水素発生槽３０に０．１ｌ／分の流量で流しながら加熱ヒーター３１を切り、リン化水素発生槽の内温を３５℃まで冷却した。
冷却後、炭酸ガス貯槽１７の元バルブおよび二方コック２５、３４を閉にした。
次に、二方コック２５を取り外し、取り外した箇所からスクラバーで吸引しながら二方コック２９、３４を取り外した。
その後、リン化水素発生槽３０を系外に取り出し、リン化金属化合物投入口５３より水５ｌを３回投入し、リン化水素発生槽３０の底部、壁部に沈降または付着していた金属の水酸化物等の分解残査を洗浄しながら２０ｌのポリエチレンバケツに移注した。水で洗浄することによりリン化水素発生槽３０の底部または壁部に殆ど付着物がなく、分解残査は簡単に除去できた。
【００４８】
実施例３
図５に示した装置を用い、以下の方法でリン化水素含有ガスを得た。
３００ｍｌのリン化水素発生槽３０にリン化アルミニウム剤（リン化アルミニウム純度５６％、帝人化成（株）市販のエピヒューム）９ｇを投入口５３より入れた。
次にリン化水素発生槽３０、流量計７、混合器５７、リン化水素含有ガスの精製槽３６（５重量％硫酸水溶液が入っている）および導管内の空気を除去した。その手順は二方コック２９、３４、５５を閉、二方コック２５を開とし、真空ライン４８の真空用調節バルブ２３を開、三方コック２１をリン化水素発生槽３０の方向に開き、真空ポンプ２２によりリン化水素発生槽３０、導管内の空気を除去後、窒素ライン４７の窒素パージ用調節バルブ２０を開、三方コック２１を窒素ライン４７とリン化水素発生槽３０の方向に切換え、窒素ガス貯槽１９から窒素ガスを流し、二方コック３４、５５、ニードルバルブ４０を開として、流量計７、混合器５７、精製槽３６および導管内の空気をほぼ完全に除去した。除去後ニードルバルブ４０、二方コック２５、３４、５５を閉とした。
さらに、炭酸ガス貯槽１７の元バルブ、炭酸ガス調節バルブ６、二方コック５５、ニードルバルブ４０を開とし、炭酸ガス流量調節計１８により０．２ｌ／分の流量で混合器５７に炭酸ガスを流した。
【００４９】
次に、計量槽２７に水７０ｍｌを入れ、二方コック２９を開いて、リン化水素発生槽３０に水６０ｍｌを添加した。このとき、リン化水素発生槽３０は水が添加し易くなるように減圧にしておいた。また計量槽２７の空気がリン化水素発生槽３０に入らないように水を１０ｍｌ程度残して二方コック２９を閉じた。
水を添加後直ちにリン化水素発生槽３０をヒーター３１で約８３℃まで加熱した。
リン化アルミニウム剤が反応して、リン化水素発生槽内の圧力を示す圧力指示計２４が０．１ｋｇ／ｃｍ２程度になったところで二方コック３４を開とし発生したリン化水素含有ガスを混合器５７で炭酸ガスと混合した後、１ｍ３燻蒸室５に噴出ノズル４１より噴出した。
【００５０】
反応終了後、すなわち流量計７でリン化水素含有ガスの発生が終了したのを確認後、二方コック５５を閉とし、次いで二方コック２５を開とし、リン化水素発生槽内と導管に残存しているリン化水系含有ガスを炭酸ガスで１ｍ３燻蒸室５へ流した。
この方法によるリン化水素ガス、炭酸ガス、ジホスフィンガスおよびアンモニアガスのそれぞれの濃度、導管中の流速、噴出ノズルの流速、炭酸ガスの流量および発火の有無の結果を表２に示した。
【００５１】
なお導管中のガス濃度はサンプリング口（Ａ）５０とサンプリング口（Ｂ）５２より経時的にサンプリングして、それぞれの濃度は所定の方法で測定した。また導管中の流速は流量計７で計測し、噴出ノズルの流速は導管中の流速より算出し、炭酸ガスの流量は流量計１８で計測した。また噴出ノズルから流出するリン化水素含有ガスの発火の有無は目視で確認した。
【００５２】
実施例４
図４に示した装置を用い、以下の方法でリン化水素含有ガスを得た。
３００ｍｌのリン化水素発生槽３０にリン化アルミニウム剤（リン化アルミニウム純度５６％、帝人化成（株）市販のエピヒューム）９ｇを投入口５３より入れた。
次にリン化水素発生槽３０、流量計７、混合器５７、リン化水素含有ガスの精製槽３６（水が入っている）および導管内の空気を除去した。その手順は二方コック２９、３４を閉、二方コック２５を開とし、真空ライン４８の真空用調節バルブ２３を開、三方コック２１をリン化水素発生槽３０の方向に開き、真空ポンプ２２によりリン化水素発生槽３０、導管内の空気を除去後、窒素ライン４７の窒素パージ用調節バルブ２０を開、三方コック２１を窒素ライン４７とリン化水素発生槽３０の方向に切換え、窒素ガス貯槽１９から窒素ガスを流し、二方コック３４、ニードルバルブ４０を開として、流量計７、混合器５７、精製槽３６および導管内の空気をほぼ完全に除去した。除去後ニードルバルブ４０、二方コック３４を閉とした。
【００５３】
次に、計量槽２７に１０重量％硫酸水溶液１７０ｍｌを入れ、二方コック２９を開いて、リン化水素発生槽３０に硫酸水溶液１６０ｍｌを添加した。このとき、リン化水素発生槽３０は硫酸水溶液が添加し易くなるように減圧にしておいた。また計量槽２７の空気がリン化水素発生槽３０に入らないように硫酸水溶液を１０ｍｌ程度残して二方コック２９を閉じた。
硫酸水溶液を添加後直ちにリン化水素発生槽３０をヒーター３１で約７０℃まで加熱した。
リン化アルミニウム剤が反応して、リン化水素発生槽内の圧力を示す圧力指示計２４が０．１ｋｇ／ｃｍ２程度になったところで二方コック３４、ニードルバルブ４０を開とし発生したリン化水素含有ガスを１ｍ３燻蒸室５に噴出ノズル４１より噴出した。
【００５４】
流量計７で内径４ｍｍの導管の流速を計測しリン化水素ガスの発生が少なくなり導管の流速が低下し、内径２ｍｍの噴出ノズル４１の流速が１ｍ／ｓに近づいてきたところで、炭酸ガス調節バルブ６を開とし炭酸ガス流量調節計１８を用いて、噴出ノズルの流速が１ｍ／ｓ以上に保持されるように炭酸ガスを、リン化アルミニウム剤の反応が終了しリン化水素が発生しなくなるまで流し続けた。
この方法によるリン化水素ガス、炭酸ガスおよびジホスフィンガスのそれぞれの濃度、導管中の流速、噴出ノズルの流速、炭酸ガスの流量および発火の有無の結果を表３に示した。
【００５５】
なお導管中のガス濃度はサンプリング口（Ａ）５０とサンプリング口（Ｂ）５２より経時的にサンプリングして、それぞれの濃度は所定の方法で測定した。また導管中の流速は流量計７で計測し、噴出ノズルの流速は導管中の流速より算出し、炭酸ガスの流量は流量計１８で計測した。また噴出ノズルから流出するリン化水素含有ガスの発火の有無は目視で確認した。
【００５６】
実施例５
図５に示した装置を用い、以下の方法でリン化水素含有ガスを得た。
３００ｍｌのリン化水素発生槽３０にリン化アルミニウム剤（リン化アルミニウム純度５６％、帝人化成（株）市販のエピヒューム）９ｇを投入口５３より入れた。
次にリン化水素発生槽３０、流量計７、混合器５７、リン化水素含有ガスの精製槽３６（水が入っている）および導管内の空気を除去した。その手順は二方コック２９、３４、５５を閉、二方コック２５を開とし、真空ライン４８の真空用調節バルブ２３を開、三方コック２１をリン化水素発生槽３０の方向に開き、真空ポンプ２２によりリン化水素発生槽３０、導管内の空気を除去後、窒素ライン４７の窒素パージ用調節バルブ２０を開、三方コック２１を窒素ライン４７とリン化水素発生槽３０の方向に切換え、窒素ガス貯槽１９から窒素ガスを流し、二方コック３４、５５、ニードルバルブ４０を開として、流量計７、混合器５７、精製槽３６および導管内の空気をほぼ完全に除去した。除去後ニードルバルブ４０、二方コック２５、３４、５５を閉とした。
さらに、炭酸ガス貯槽１７の元バルブ、炭酸ガス調節バルブ６、二方コック５５、ニードルバルブ４０を開とし、炭酸ガス流量調節計１８により０．２ｌ／分の流量で混合器５７に炭酸ガスを流した。
【００５７】
次に、計量槽２７に１０重量％硫酸水溶液１７０ｍｌを入れ、二方コック２９を開いて、リン化水素発生槽３０に硫酸水溶液１６０ｍｌを添加した。このとき、リン化水素発生槽３０は硫酸水溶液が添加し易くなるように減圧にしておいた。また計量槽２７の空気がリン化水素発生槽３０に入らないように硫酸水溶液を１０ｍｌ程度残して二方コック２９を閉じた。
硫酸水溶液を添加後直ちにリン化水素発生槽３０をヒーター３１で約７０℃まで加熱した。
リン化アルミニウム剤が反応して、リン化水素発生槽内の圧力を示す圧力指示計２４が０．１ｋｇ／ｃｍ２程度になったところで二方コック３４を開とし発生したリン化水素含有ガスを混合器５７で炭酸ガスと混合した後、１ｍ３燻蒸室５に噴出ノズル４１より噴出した。
【００５８】
反応終了後、すなわち流量計７でリン化水素含有ガスの発生が終了したのを確認後、二方コック５５を閉とし、次いで二方コック２５を開とし、リン化水素発生槽内と導管に残存しているリン化水素含有ガスを炭酸ガスで１ｍ３燻蒸室５へ流した。
この方法によるリン化水素ガス、炭酸ガスおよびジホスフィンガスのそれぞれの濃度、導管中の流速、噴出ノズルの流速、炭酸ガスの流量および発火の有無の結果を表４に示した。
【００５９】
なお導管中のガス濃度はサンプリング口（Ａ）５０とサンプリング口（Ｂ）５２より経時的にサンプリングして、それぞれの濃度は所定の方法で測定した。また導管中の流速は流量計７で計測し、噴出ノズルの流速は導管中の流速より算出し、炭酸ガスの流量は流量計１８で計測した。また噴出ノズルから流出するリン化水素含有ガスの発火の有無は目視で確認した。
【００６０】
【表１】
0003587401.tif 000002
【００６１】
【表２】
0003587401.tif 000003
【００６２】
【表３】
0003587401.tif 000004
【００６３】
【表４】
0003587401.tif 000005
【００６４】
実施例６
実施例３の方法により得られたリン化水素含有ガスを噴出させた１ｍ３の燻蒸室中に、被燻蒸物として青バナナ、オクラ、グレープフルーツ、切花のデンファレ種ラン、パキラ苗木およびチューリップの球根をそれぞれ１ケース入れ、また害虫は飼育したコナカイガラムシ、マルカイガラムシ、ハダニ、ゾウムシ、キクイムシの付いたそれぞれのホストと一緒に入れ、１５℃で４時間燻蒸した。
この方法による１ｍ３燻蒸室中のガス濃度の経時変化を表５に、害虫の殺虫効果を表６に、被燻蒸物の薬害の評価を表７に示した。
なお、燻蒸室中のガス濃度は所定の方法で測定を行った。害虫の殺虫効果は２５〜２７℃、湿度７０％の調湿付恒温器に燻蒸処理した害虫付ホストを入れ、コナカイガラムシ、マルカイガラムシの成虫は７日後に、ハダニ、ゾウムシ、キクイムシの成虫は３日後に、コナカイガラムシ、マルカイガラムシ、ゾウムシ、キクイムシの卵は３０日から３５日後に、ハダニは１５日後にふ化虫の有無で調べた。燻蒸処理した被燻蒸物の薬害については、１ケースの全てについて青バナナ、オクラ、グレープフルーツ、デンファレ種ランは１５℃の恒温室に未燻蒸品と一緒に２０日間収納し、未燻蒸品と比較対照して外観変化を調べた。パキラ苗木、チューリップの球根は苗床用土壌に植付け、未燻蒸品と比較対照して発芽状況、生育状況、チューリップ球根については開花状況についても調べた。
【００６５】
【表５】
0003587401.tif 000006
【００６６】
【表６】
0003587401.tif 000007
【００６７】
【表７】
0003587401.tif 000008
【００６８】
【発明の効果】
本発明の燻蒸方法および燻蒸システムは、燻蒸場所で高濃度のリン化水素が得られ、発火の心配がなく安全に使用でき、燻蒸時間を大幅に短縮できるという優れた効果を有する。
【図面の簡単な説明】
【図１】図１は本発明の燻蒸システムの一例を示す図である。
【図２】図２は本発明の燻蒸システムの一例を示す図である。
【図３】図３は本発明の燻蒸システムの一例を詳細に示す図である。
【図４】図４は本発明の一態様の系統図を示す図である。
【図５】図５は本発明の一態様の系統図を示す図である。
【符号の説明】
１  炭酸ガス供給手段
２  リン化水素発生手段
３  リン化水素精製手段
４  リン化水素含有ガスの噴出手段
５  燻蒸室
６  バルブ
７  流量計
８  流量計
９  流量制御システム
１０  流量制御システム
１１  三方コック
１２  ブロワー
１３  循環配管
１４  導管
１５  導管
１６  導管
１７  炭酸ガス貯槽
１８  炭酸ガス流量調節計
１９  窒素ガス貯槽
２０  バルブ
２１  三方コック
２２  真空ポンプ
２３  バルブ
２４  圧力指示計
２５  二方コック
２６  二方コック
２７  計量槽
２８  水または硫酸水溶液
２９  二方コック
３０  リン化水素発生槽
３１  加熱ヒーター
３２  リン化金属化合物
３３  温度計
３４  二方コック
３５  逆止弁
３６  リン化水素含有ガスの精製槽
３７  バブリングノズル
３８  水または硫酸水溶液
３９  逆止弁
４０  バルブ
４１  噴出ノズル
４２  バルブ
４３  バルブ
４４  バルブ
４５  リン化水素除毒装置
４６  ブロワー
４７  窒素ライン
４８  真空ライン
４９  二方コック
５０  サンプリング口（Ａ）
５１  二方コック
５２  サンプリング口（Ｂ）
５３  リン化金属化合物投入口
５４  バルブ
５５  二方コック
５６  導管
５７  混合器
【図１】
0003587401.tif 000009
【図２】
0003587401.tif 000010
【図３】
0003587401.tif 000011
【図４】
0003587401.tif 000012
【図５】
0003587401.tif 000013